(57)【要約】【課題】誤操作を防止すること。【解決手段】ライフルスコープ１は、観察されるべき対象物に向けられる少なくとも１つの対物レンズ６と、観察者の眼に向けられる少なくとも１つの接眼レンズ７と、対物レンズ６と接眼レンズ７とを収容する筐体２と、を備え、筐体２は、使用状態において、接眼レンズ７の光軸１１を通る鉛直面に略平行な左右の側面１３、１４を有し、左右の側面１３、１４には、それぞれスイッチ１７、１８が設けられる。【選択図】図１
2015129779.tif 000002
【特許請求の範囲】
【請求項１】
観察されるべき対象物に向けられる少なくとも１つの対物レンズと、
観察者の眼に向けられる少なくとも１つの接眼レンズと、
前記対物レンズと前記接眼レンズとを収容する筐体と、
を備え、
前記筐体は、使用状態において、前記接眼レンズの光軸を通る鉛直面に略平行な左右の側面を有し、前記左右の側面には、それぞれスイッチが設けられることを特徴とする望遠鏡。
【請求項２】
観察されるべき対象物に向けられる少なくとも１つの対物レンズと、
観察者の眼に向けられる少なくとも１つの接眼レンズと、
前記対物レンズと前記接眼レンズとを収容する筐体と、
を備え、
前記筐体は、使用状態において、前記接眼レンズの光軸を通る鉛直面に略平行な左右の側面を有し、前記左右の側面には、それぞれプッシュスイッチが１つずつ設けられることを特徴とする望遠鏡。
【請求項３】
観察されるべき対象物に向けられる少なくとも１つの対物レンズと、
観察者の眼に向けられる少なくとも１つの接眼レンズと、
前記対物レンズと前記接眼レンズとを収容する筐体と、
を備え、
前記筐体は、使用状態において、前記接眼レンズの光軸を通る鉛直面に略平行な左右の側面を有し、前記左右の側面の一方の側面には、１つのレバースイッチが設けられ、他方の側面には、１つのロータリースイッチが設けられることを特徴とする望遠鏡。
【請求項４】
観察されるべき対象物に向けられる少なくとも１つの対物レンズと、
観察者の眼に向けられる少なくとも１つの接眼レンズと、
前記対物レンズと前記接眼レンズとを収容する筐体と、
を備え、
前記筐体は、使用状態において、前記接眼レンズの光軸を通る鉛直面に略平行な左右の側面を有し、前記左右の側面の一方の側面には、１つのロータリースイッチが設けられ、他方の側面には、１つのプッシュスイッチが設けられることを特徴とする望遠鏡。
【請求項５】
請求項１〜４のいずれか一項に記載の望遠鏡において、
前記接眼レンズの近傍に設けられ、前記スイッチを収容するスイッチ収容部と、
前記接眼レンズの近傍に設けられ、電池を収容する電池収容部と、
をさらに備え、
前記スイッチ収容部と前記電池収容部とは連接して設けられ、前記スイッチ収容部は、前記電池収容部よりも前記対物レンズ側に設けられることを特徴とする望遠鏡。
【請求項６】
請求項５に記載の望遠鏡において、
前記対物レンズからレチクルを介して前記接眼レンズに入射する入射光は、前記レチクルから前記接眼レンズに向かって拡大し、
前記スイッチ収容部および前記電池収容部は、前記入射光にかからない位置に配置されることを特徴とする望遠鏡。
【請求項７】
請求項２に記載の望遠鏡において、
前記左右の側面にそれぞれ設けられたプッシュスイッチの両方が同時に押下されると、レチクルの照明を電源オフすることを特徴とする望遠鏡。
【請求項８】
請求項２または７に記載の望遠鏡において、
前記左右の側面にそれぞれ設けられたプッシュスイッチのいずれか一方が押下されると、レチクルの照明を電源オンすることを特徴とする望遠鏡。
【請求項９】
請求項２または７または８に記載の望遠鏡において、
前記左右の側面にそれぞれ設けられたプッシュスイッチの一方は、レチクルの照明の輝度を上げるための操作スイッチであり、前記左右の側面にそれぞれ設けられたプッシュスイッチの他方は、レチクルの照明の輝度を下げるための操作スイッチであることを特徴とする望遠鏡。
【請求項１０】
請求項９に記載の望遠鏡において、
前記右の側面に設けられたプッシュスイッチは、レチクルの照明の輝度を上げるための操作スイッチであり、前記左の側面に設けられたプッシュスイッチは、レチクルの照明の輝度を下げるための操作スイッチであることを特徴とする望遠鏡。
【請求項１１】
請求項３に記載の望遠鏡において、
前記レバースイッチよりも前記対物レンズ側に設けられた操作部材をさらに備え、
前記レバースイッチは、その突起部分が前記接眼レンズ側を向くように配置されることを特徴とする望遠鏡。
【請求項１２】
請求項３または１１に記載の望遠鏡において、
前記レバースイッチは、レチクルの照明の電源オンと電源オフとを切り替えるための操作スイッチであることを特徴とする望遠鏡。
【請求項１３】
請求項３または１１または１２に記載の望遠鏡において、
前記レバースイッチは、レチクルの照明の少なくとも２つの互いに異なった動作モードを切り替えるための操作スイッチであることを特徴とする望遠鏡。
【請求項１４】
請求項３または１１または１２または１３に記載の望遠鏡において、
前記ロータリースイッチは、レチクルの照明の輝度を上下させるための操作スイッチであることを特徴とする望遠鏡。
【請求項１５】
請求項１２〜１４のいずれか一項に記載の望遠鏡において、
前記レバースイッチは、前記右の側面に設けられ、
前記ロータリースイッチは、前記左の側面に設けられることを特徴とする望遠鏡。
【請求項１６】
請求項４に記載の望遠鏡において、
前記ロータリースイッチは、レチクルの照明を電源オフした状態と、前記レチクルの照明を電源オンした状態であって且つ前記プッシュスイッチを前記レチクルの照明の輝度を上げる操作スイッチとして機能させる状態と、前記レチクルの照明を電源オンした状態であって且つ前記プッシュスイッチを前記レチクルの照明の輝度を下げる操作スイッチとして機能させる状態と、を切り替えるための操作スイッチであることを特徴とする望遠鏡。
【請求項１７】
請求項１６に記載の望遠鏡において、
前記ロータリースイッチは、前記右の側面に設けられ、
前記プッシュスイッチは、前記左の側面に設けられることを特徴とする望遠鏡。
【発明の詳細な説明】
【技術分野】
【０００１】
本発明は、望遠鏡に関する。
【背景技術】
【０００２】
ハウジングの左側面に２つのスイッチが配置された照準望遠鏡が知られている（特許文献１参照）。この照準望遠鏡では、２つのスイッチのいずれか一方を押下することでレチクルの照明をオンすることができる。またこの照準望遠鏡では、観察者が意図せずにレチクルの照明をオフしないように、２つのスイッチが同時に押下されるとレチクルの照明をオフするように構成されている。
【先行技術文献】
【特許文献】
【０００３】
【特許文献１】独国実用新案第２０２０１００１２３５２号明細書
【発明の概要】
【発明が解決しようとする課題】
【０００４】
ところが、上記従来技術では、レチクルの照明をオフするための２つのスイッチが同一の面に配置されているために、ユーザの意図しないところで２つのスイッチが同時に押下されてしまう可能性があり、必ずしも誤操作を防止できないという問題があった。
【課題を解決するための手段】
【０００５】
（１）請求項１に記載の発明による望遠鏡は、観察されるべき対象物に向けられる少なくとも１つの対物レンズと、観察者の眼に向けられる少なくとも１つの接眼レンズと、対物レンズと接眼レンズとを収容する筐体と、を備え、筐体は、使用状態において、接眼レンズの光軸を通る鉛直面に略平行な左右の側面を有し、左右の側面には、それぞれスイッチが設けられることを特徴とする。
（２）請求項２に記載の発明による望遠鏡は、観察されるべき対象物に向けられる少なくとも１つの対物レンズと、観察者の眼に向けられる少なくとも１つの接眼レンズと、対物レンズと接眼レンズとを収容する筐体と、を備え、筐体は、使用状態において、接眼レンズの光軸を通る鉛直面に略平行な左右の側面を有し、左右の側面には、それぞれプッシュスイッチが１つずつ設けられることを特徴とする。
（３）請求項３に記載の発明による望遠鏡は、観察されるべき対象物に向けられる少なくとも１つの対物レンズと、観察者の眼に向けられる少なくとも１つの接眼レンズと、対物レンズと接眼レンズとを収容する筐体と、を備え、筐体は、使用状態において、接眼レンズの光軸を通る鉛直面に略平行な左右の側面を有し、左右の側面の一方の側面には、１つのレバースイッチが設けられ、他方の側面には、１つのロータリースイッチが設けられることを特徴とする。
（４）請求項４に記載の発明による望遠鏡は、観察されるべき対象物に向けられる少なくとも１つの対物レンズと、観察者の眼に向けられる少なくとも１つの接眼レンズと、対物レンズと接眼レンズとを収容する筐体と、を備え、筐体は、使用状態において、接眼レンズの光軸を通る鉛直面に略平行な左右の側面を有し、左右の側面の一方の側面には、１つのロータリースイッチが設けられ、他方の側面には、１つのプッシュスイッチが設けられることを特徴とする。
【発明の効果】
【０００６】
本発明によれば、誤操作を防止することができる。
【図面の簡単な説明】
【０００７】
【図１】第１の実施の形態によるライフルスコープの斜視図である。
【図２】第１の実施の形態によるライフルスコープの右側面図である。
【図３】第１の実施の形態によるライフルスコープの左側面図である。
【図４】凸部の断面図である。
【図５】筐体の接眼側部分の断面図である。
【図６】第２の実施の形態によるライフルスコープの斜視図である。
【図７】第２の実施の形態によるライフルスコープの右側面図である。
【図８】第２の実施の形態によるライフルスコープの左側面図である。
【図９】第２の実施の形態におけるレバースイッチの操作を説明する図である。
【図１０】第３の実施の形態によるライフルスコープの斜視図である。
【図１１】第３の実施の形態によるライフルスコープの右側面図である。
【図１２】第３の実施の形態によるライフルスコープの左側面図である。
【図１３】第３の実施の形態におけるロータリースイッチの操作を説明する図である。
【発明を実施するための形態】
【０００８】
（第１の実施の形態）
図面を参照して、本発明による第１の実施の形態について説明する。なお、以下の説明において、ライフルスコープの上下、左右、前後、水平、鉛直等と表記する場合は、当該ライフルスコープがライフルに装着されて使用される状態（以下、使用状態と呼ぶ）において、観察する対象物へ向かう方向を前方向とし、観察者へ向かう方向を後ろ方向とした場合の位置関係に基づくものとする。
【０００９】
図１は、本発明の第１の実施の形態によるライフルスコープ１の斜視図であり、図２は、ライフルスコープ１の右側面図であり、図３は、ライフルスコープ１の左側面図である。ライフルスコープ１は、円筒状の筐体２を備える。この筐体２は、対象物側（すなわち前側）となる対物側部分３、観察者側（すなわち後ろ側）となる接眼側部分４、および対物側部分３と接眼側部分４とを接続する中間部分５で構成される。なお、図１では、対物側部分３および接眼側部分４が、中間部分５よりも直径が大きく構成されている例について示している。しかしながら、対物側部分３と中間部分５の直径が同一に構成されていてもよい。
【００１０】
筐体２の対物側部分３内部には、観察されるべき対象物に向けられる対物レンズ６（図１に点線で模式的に示す）が設けられる。筐体２の接眼側部分４内部には、観察者の眼に向けられる接眼レンズ７が設けられる。
【００１１】
筐体２の中間部分５の下部には、ライフルにライフルスコープ１を固定するための固定部材（不図示）が設けられる。ライフルスコープ１は、この固定部材を介してライフルに装着される。
【００１２】
筐体２の接眼側部分４の前端には、ズームリング８が設けられる。筐体２の内部にはズームレンズ２０（図５）が設けられており、ズームリング８を回転させると、ズームレンズ２０が光軸１１の方向に移動して、ライフルスコープ１の倍率が変化するように構成されている。
【００１３】
また、筐体２の接眼側部分４は、円筒部分９と、この円筒部分９から上方へ突出する凸部１０とが一体に形成された構成でなる。凸部１０は、ライフルスコープ１の光軸１１を通る水平面に略平行な面である上面１２と、光軸１１を通る鉛直面に略平行な面である右側面１３および左側面１４とを有する。凸部１０の内部には、電池を収容する電池収容部１５（図４）が設けられており、凸部１０の上面１２には、電池収容部１５を開閉するための蓋１６が設けられる。凸部１０の右側面１３および左側面１４には、プッシュスイッチがそれぞれ一つずつ設けられる。以下、右側面１３のプッシュスイッチを右プッシュスイッチ１７と呼び、左側面１４のプッシュスイッチを左プッシュスイッチ１８と呼ぶ。なお、右プッシュスイッチ１７および左プッシュスイッチ１８は、光軸１１を挟んで対向するように設けられている。
【００１４】
図４は、凸部１０を、光軸１１を通る水平面と平行な面で切断した断面図である。図４に示すように、凸部１０は、右プッシュスイッチ１７および左プッシュスイッチ１８を収容するスイッチ収容部１９と、電池収容部１５とを有する。スイッチ収容部１９と電池収容部１５とは、連接して設けられている。また、右側面１３および左側面１４は、スイッチ収容部１９の側面となっている。
【００１５】
図５は、ライフルスコープ１を、光軸１１を通る鉛直面と平行な面で切断した断面図である。なお、図５では、筐体２の接眼側部分４と中間部分５の一部とを示す。図５に示すように、スイッチ収容部１９は、電池収容部１５よりも前方（対物レンズ６側）に配置されている。これは、以下の理由による。
【００１６】
対物レンズ６からの入射光Ｌは、ズームレンズ２０を透過してレチクル２１で結像し、接眼レンズ７で拡大される。対物レンズ６からの入射光Ｌの直径は、レチクル２１から接眼レンズ７に向かって拡大していく。ここで、電池収容部１５とスイッチ収容部１９とは、対物レンズ６からの入射光Ｌにかからない位置に配置される必要がある。また、電池収容部１５の高さよりもスイッチ収容部１９の高さの方が高い。したがって、仮にスイッチ収容部１９を電池収容部１５よりも後方に配置した場合、電池収容部１５よりも前方に配置した場合と比べて、凸部１０の高さが高くなってしまう。ゆえに、本実施形態のライフルスコープ１では、スイッチ収容部１９を電池収容部１５よりも前方に配置したことで、凸部１０の高さを抑えている。
【００１７】
右プッシュスイッチ１７および左プッシュスイッチ１８は、レチクル２１を照明するレチクル照明装置（不図示）を動作させるための操作部材である。なお、右プッシュスイッチ１７および左プッシュスイッチ１８は、押下された後、再び無負荷の状態となると直ちに新たに操作可能な初期状態にひとりでに戻るように構成されたスイッチである。
【００１８】
右プッシュスイッチ１７および左プッシュスイッチ１８は、それぞれ、押下操作されると、この押下操作に応じた操作信号を、ライフルスコープ１内の不図示のマイクロコンピュータに出力する。このマイクロコンピュータは、右プッシュスイッチ１７および左プッシュスイッチ１８からの操作信号に応じてレチクル照明装置の動作を制御する。
【００１９】
具体的に、レチクル照明装置が電源オフである状態で、右プッシュスイッチ１７および左プッシュスイッチ１８のいずれか一方が押下されると、ライフルスコープ１は、レチクル照明装置を電源オンする。すなわち、観察者が右プッシュスイッチ１７および左プッシュスイッチ１８のどちらを押下しても、レチクル照明装置を電源オンすることができる。ゆえに観察者は、電源オンのスイッチが左右どちらであるかを考える必要がないので、素早くレチクル照明装置を電源オンすることができる。
【００２０】
また、レチクル照明装置が電源オンである状態で、右プッシュスイッチ１７のみが押下されると、ライフルスコープ１は、レチクル照明装置の輝度を所定量増加させる。また、右プッシュスイッチ１７のみが長押しされると、ライフルスコープ１は、レチクル照明装置の輝度を長押しされた時間に応じた量増加させる。一方、レチクル照明装置が電源オンである状態で、左プッシュスイッチ１８のみが押下されると、ライフルスコープ１は、レチクル照明装置の輝度を所定量減少させる。また、左プッシュスイッチ１８のみが長押しされると、ライフルスコープ１は、レチクル照明装置の輝度を長押しされた時間に応じた量減少させる。このような構成により、観察者は、右プッシュスイッチ１７または左プッシュスイッチ１８を操作することで、レチクル２１の照明を所望の輝度に調整することができる。
【００２１】
また、レチクル照明装置が電源オンである状態で、右プッシュスイッチ１７および左プッシュスイッチ１８が同時に押下されると、ライフルスコープ１は、レチクル照明装置の電源をオフする。右プッシュスイッチ１７および左プッシュスイッチ１８は、ズームリング８の近傍に設けられているため、ズームリング８を操作する際などに誤操作してしまう可能性もある。しかしながら、右プッシュスイッチ１７および左プッシュスイッチ１８は、凸部１０の右側面１３および左側面１４にそれぞれ設けられているため、意図せずに両方のスイッチが押下される可能性は非常に低い。ゆえに、観察者が誤ってレチクル照明装置の電源をオフしてしまう可能性は非常に低くなっている。
【００２２】
以上説明した第１の実施形態によれば、次の作用効果が得られる。
（１）ライフルスコープ１は、観察されるべき対象物に向けられる少なくとも１つの対物レンズ６と、観察者の眼に向けられる少なくとも１つの接眼レンズ７と、対物レンズ６と接眼レンズ７とを収容する筐体２と、を備え、筐体２は、使用状態において、接眼レンズ７の光軸１１を通る鉛直面に略平行な左側面１４および右側面１３を有し、左側面１４および右側面１３には、右プッシュスイッチ１７および左プッシュスイッチ１８が設けられるように構成したので、右プッシュスイッチ１７および左プッシュスイッチ１８の両方が誤って同時に押下される可能性を少なくでき、誤操作を防止することができる。また、これらのスイッチが、左右対称に配置されるように構成したので、右利きの人も左利きの人も操作しやすくすることができる。
【００２３】
（２）上記（１）のライフルスコープ１において、接眼レンズ７の近傍に設けられ、右プッシュスイッチ１７および左プッシュスイッチ１８を収容するスイッチ収容部１９と、接眼レンズ７の近傍に設けられ、電池を収容する電池収容部１５と、をさらに備え、スイッチ収容部１９と電池収容部１５とは連接して設けられ、スイッチ収容部１９は、電池収容部１５よりも対物レンズ６側に設けられるように構成したので、スイッチ収容部１９および電池収容部１５を有する凸部１０の高さを抑えることができる。
【００２４】
（３）上記（１）または（２）のライフルスコープ１において、右プッシュスイッチ１７および左プッシュスイッチ１８の両方が同時に押下されると、レチクル２１の照明を電源オフするように構成したので、観察者が誤ってレチクル２１の照明を電源オフしてしまうのを防止できる。
【００２５】
（４）上記（１）〜（３）のライフルスコープ１において、右プッシュスイッチ１７および左プッシュスイッチ１８のいずれか一方が押下されると、レチクル２１の照明を電源オンするように構成したので、観察者は素早くレチクル２１の照明を電源オンすることができる。
【００２６】
（第２の実施の形態）
次に、本発明による第２の実施の形態について説明する。第２の実施の形態では、第１の実施の形態の右プッシュスイッチ１７および左プッシュスイッチ１８の代わりに、レバースイッチ５１およびロータリースイッチ５２を設けた点が特徴であり、以下この点について詳しく説明する。なお、第１の実施の形態と同様の箇所については同一の符号を付し、説明を省略する。
【００２７】
図６は、本発明の第２の実施の形態によるライフルスコープ５０の斜視図であり、図７は、ライフルスコープ５０の右側面図であり、図８は、ライフルスコープ５０の左側面図である。筐体２の凸部１０の右側面１３には１つのレバースイッチ５１が設けられ、左側面１４には１つのロータリースイッチ５２が設けられる。
【００２８】
レバースイッチ５１およびロータリースイッチ５２は、それぞれ、操作されると、この操作に応じた操作信号を、ライフルスコープ５０内の不図示のマイクロコンピュータに出力する。このマイクロコンピュータは、レバースイッチ５１およびロータリースイッチ５２からの操作信号に応じてレチクル照明装置の動作を制御する。
【００２９】
具体的に、レバースイッチ５１は、レチクル照明装置の電源をオンオフするための操作部材である。図９（Ａ）に示すように、レバースイッチ５１の突起部分（レバー部分）５３がまっすぐ後方を向く位置（以下、オフ位置と呼ぶ）に動かされると、ライフルスコープ５０は、レチクル照明装置を電源オフする。また、図９（Ｂ）に示すように、レバー部分５３が斜め上方を向く位置（以下、デイモード位置と呼ぶ）に動かされると、ライフルスコープ５０は、レチクル照明装置を電源オンして、昼間に適した状態でレチクルを照明するためのデイモードで動作させる。さらに、図９（Ｃ）に示すように、レバー部分５３が斜め下方を向く位置（以下、ナイトモード位置と呼ぶ）に動かされると、ライフルスコープ５０は、レチクル照明装置を電源オンして、夜間に適した状態でレチクルを照明するためのナイトモードで動作させる。したがって、観察者は、レバースイッチ５１を操作するだけで、レチクル照明装置の電源オンオフおよび動作モードを切り替えることができる。
【００３０】
なお、レバースイッチ５１の可動範囲は、レバー部分５３がデイモード位置である位置からナイトモード位置である位置までの範囲であり、常にレバー部分５３が後方を向くように構成されている。これにより、観察者が、レバースイッチ５１の前方近傍に設けられたズームリング８を操作しようとする際に、誤ってレバー部分５３に触れて誤操作してしまうのを防止することができる。
【００３１】
また、ロータリースイッチ５２は、レチクル照明装置の輝度を調整するための操作部材である。レチクル照明装置がデイモードまたはナイトモードで動作している状態で、図８に示す矢印５４の方向（すなわち前方向）にロータリースイッチ５２が回転されると、ライフルスコープ５０は、レチクル照明装置の輝度をロータリースイッチ５２の回転に伴うステップ数（インクリメンタル）に応じた分増加させる。一方、レチクル照明装置がデイモードまたはナイトモードで動作している状態で、図８に示す矢印５５の方向（すなわち前方向）にロータリースイッチ５２が回転されると、ライフルスコープ５０は、レチクル照明装置の輝度をロータリースイッチ５２の回転に伴うステップ数（インクリメンタル）に応じた分減少させる。したがって、観察者は、ロータリースイッチ５２を操作するだけで、レチクル照明装置の輝度を所望の輝度に調整することができる。なお、本実施形態では、レチクル照明装置の輝度を変化させる方式として、ロータリースイッチ５２の回転に伴って、レチクル照明装置の輝度を飽和するまで（すなわち最大値または最小値となるまで）変化させる方式を用いてもよいし、ロータリースイッチ５２に設定された基準位置から１目盛り回転するごとにレチクル照明装置の輝度を変化させる方式を用いてもよい。
【００３２】
以上説明した第２の実施形態によれば、次の作用効果が得られる。
（１）ライフルスコープ１は、観察されるべき対象物に向けられる少なくとも１つの対物レンズ６と、観察者の眼に向けられる少なくとも１つの接眼レンズ７と、対物レンズ６と接眼レンズ７とを収容する筐体２と、を備え、筐体２は、使用状態において、接眼レンズ７の光軸１１を通る鉛直面に略平行な左側面１４および右側面１３を有し、左側面１４には、レバースイッチ５１が設けられ、右側面１３には、ロータリースイッチ５２が設けられるように構成したので、一方のスイッチを操作する際に他方のスイッチが邪魔にならず、誤操作を防止できる。
【００３３】
（２）上記（１）のライフルスコープ１において、レバースイッチ５１よりも対物レンズ６側に設けられたズームリング８をさらに備え、レバースイッチ５１は、その突起部分５３が接眼レンズ７側を向くように配置したので、観察者が、ズームリング８を操作しようとする際に、誤ってレバー部分５３に触れて誤操作してしまうのを防止することができる。
【００３４】
（第３の実施の形態）
次に、本発明による第３の実施の形態について説明する。第３の実施の形態では、第１の実施の形態の右プッシュスイッチ１７および左プッシュスイッチ１８の代わりに、ロータリースイッチ１０１およびプッシュスイッチ１０２を設けた点が特徴であり、以下この点について詳しく説明する。なお、第１の実施の形態と同様の箇所については同一の符号を付し、説明を省略する。
【００３５】
図１０は、本発明の第３の実施の形態によるライフルスコープ１００の斜視図であり、図１１は、ライフルスコープ１００の右側面図であり、図１２は、ライフルスコープ１００の左側面図である。筐体２の凸部１０の右側面１３には１つのロータリースイッチ１０１が設けられ、左側面１４には１つのプッシュスイッチ１０２が設けられる。
【００３６】
ロータリースイッチ１０１およびプッシュスイッチ１０２は、それぞれ、操作されると、この操作に応じた操作信号を、ライフルスコープ１００内の不図示のマイクロコンピュータに出力する。このマイクロコンピュータは、ロータリースイッチ１０１およびプッシュスイッチ１０２からの操作信号に応じてレチクル照明装置の動作を制御する。
【００３７】
具体的に、ロータリースイッチ１０１には、図１３に示すように、「ＯＦＦ」、「＋」、「−」という目盛が描かれている。また、ロータリースイッチ１０１の近傍には、これらの目盛を合わせるための基準となる基準線１０３が描かれている。
【００３８】
図１３（Ａ）に示すように、「ＯＦＦ」という目盛が基準線１０３に合う位置にロータリースイッチ１０１が回転されると、ライフルスコープ１００は、レチクル照明装置を電源オフする。
【００３９】
また、図１３（Ｂ）に示すように、「＋」という目盛が基準線１０３に合う位置にロータリースイッチ１０１が回転されると、ライフルスコープ１００は、レチクル照明装置を電源オンすると共に、プッシュスイッチ１０２の操作モードを輝度アップモードとする。この輝度アップモードにおいて、ライフルスコープ１００は、プッシュスイッチ１０２が押下されると、レチクル照明装置の輝度を所定量増加させる。また、プッシュスイッチ１０２が長押しされると、ライフルスコープ１００は、レチクル照明装置の輝度を長押しされた時間に応じた量増加させる。
【００４０】
さらに、図１３（Ｃ）に示すように、「−」という目盛が基準線１０３に合う位置にロータリースイッチ１０１が回転されると、ライフルスコープ１００は、レチクル照明装置を電源オンした状態で、プッシュスイッチ１０２の操作モードを輝度ダウンモードとする。この輝度ダウンモードにおいて、ライフルスコープ１００は、プッシュスイッチ１０２が押下されると、レチクル照明装置の輝度を所定量減少させ。また、プッシュスイッチ１０２が長押しされると、ライフルスコープ１００は、レチクル照明装置の輝度を長押しされた時間に応じた量減少させる。
【００４１】
以上説明した第３の実施形態によれば、次の作用効果が得られる。
（１）ライフルスコープ１は、観察されるべき対象物に向けられる少なくとも１つの対物レンズ６と、観察者の眼に向けられる少なくとも１つの接眼レンズ７と、対物レンズ６と接眼レンズ７とを収容する筐体２と、を備え、筐体２は、使用状態において、接眼レンズ７の光軸１１を通る鉛直面に略平行な左側面１４および右側面１３を有し、左側面１４には、ロータリースイッチ１０１が設けられ、右側面１３には、プッシュスイッチ１０２が設けられるように構成したので、一方のスイッチを操作する際に他方のスイッチが邪魔にならず、誤操作を防止できる。
【００４２】
（２）上記（１）のライフルスコープ１において、ロータリースイッチ１０１は、レチクル２１の照明を電源オフした状態と、レチクル２１の照明を電源オンした状態であって且つプッシュスイッチ１０２をレチクル２１の照明の輝度を上げる操作スイッチとして機能させる状態と、レチクル２１の照明を電源オンした状態であって且つプッシュスイッチ１０２をレチクル２１の照明の輝度を下げる操作スイッチとして機能させる状態と、を切り替えるための操作スイッチであるように構成したので、観察者は、ロータリースイッチ１０１とプッシュスイッチ１０２とを操作することで、レチクル２１の照明を所望の輝度に調整することができる。
【００４３】
（変形例１）
上述した第１の実施の形態では、右プッシュスイッチ１７が押下されるとレチクル照明装置の輝度を上げ、左プッシュスイッチ１８が押下されるとレチクル照明装置の輝度を下げる例について説明したが、これらのスイッチの機能を入れ替えてもよい。
【００４４】
（変形例２）
上述した第２の実施の形態では、右側面１３にレバースイッチ５１を設け、左側面１４にロータリースイッチ５２を設ける例について説明したが、これらのスイッチの配置を逆にしてもよい。
【００４５】
（変形例３）
上述した第２の実施の形態では、ロータリースイッチ５２が前方向に回転されると、レチクル照明装置の輝度を上げ、ロータリースイッチ５２が後ろ方向に回転されると、レチクル照明装置の輝度を下げる例について説明した。しかしながら、ロータリースイッチ５２が前方向の回転方向のステップ数を検知すると、レチクル照明装置の輝度を下げ、ロータリースイッチ５２が後ろ方向の回転方向のステップ数を検知すると、レチクル照明装置の輝度を上げるようにしてもよい。なお、変形例３の場合においても、レチクル照明装置の輝度を変化させる方式として、ロータリースイッチ５２の回転に伴って、レチクル照明装置の輝度を飽和するまで（すなわち最大値または最小値となるまで）変化させる方式を用いてもよいし、ロータリースイッチ５２に設定された基準位置から１目盛り回転するごとにレチクル照明装置の輝度を変化させる方式を用いてもよい。
【００４６】
（変形例４）
上述した第２の実施の形態では、レバースイッチ５１は、電源オフとデイモードとナイトモードとを切り替えるための操作スイッチである例について説明した。しかしながら、レバースイッチ５１は、電源オンと電源オフのみを切り替えるための操作スイッチであってもよい。また、レバースイッチ５１は、レチクル照明装置の互いに異なる３つ以上の動作モードを切り替えるための操作スイッチであってもよい。
【００４７】
（変形例５）
上述した第３の実施の形態では、右側面１３にロータリースイッチ１０１を設け、左側面１４にプッシュスイッチ１０２を設ける例について説明したが、これらのスイッチの配置を逆にしてもよい。
【００４８】
（変形例６）
上述した実施の形態では、レチクル照明装置の操作スイッチに本発明を適用する例について説明したが、これに限らず、種々の機能のための操作スイッチに本発明を適用するようにしてもよい。
【００４９】
（変形例７）
上述した実施の形態では、筐体２の右側面１３および左側面１４にそれぞれ一つずつスイッチを設ける例について説明したが、それぞれの面に２つ以上のスイッチを設けるようにしてもよい。
【００５０】
（変形例８）
上述した実施の形態では、ライフルスコープに本発明を適用する例について説明したが、これに限らず、種々の望遠鏡に本発明を適用するようにしてもよい。
【００５１】
以上の説明はあくまで一例であり、上記の実施形態の構成に何ら限定されるものではない。また、上記実施形態に各変形例の構成を適宜組み合わせてもかまわない。
【符号の説明】
【００５２】
１、５０、１００…ライフルスコープ、２…筐体、６…対物レンズ、７…接眼レンズ、８…ズームリング、１５…電池収容部、１７…右プッシュスイッチ、１８…左プッシュスイッチ、１９…スイッチ収容部、２１…レチクル、５１…レバースイッチ、５２…ロータリースイッチ、１０１…ロータリースイッチ、１０２…プッシュスイッチ
【図１】
2015129779.tif 000003
【図２】
2015129779.tif 000004
【図３】
2015129779.tif 000005
【図４】
2015129779.tif 000006
【図５】
2015129779.tif 000007
【図６】
2015129779.tif 000008
【図７】
2015129779.tif 000009
【図８】
2015129779.tif 000010
【図９】
2015129779.tif 000011
【図１０】
2015129779.tif 000012
【図１１】
2015129779.tif 000013
【図１２】
2015129779.tif 000014
【図１３】
2015129779.tif 000015